(57)【要約】【課題】本発明は、地下水の無駄がなく、地下水熱の採熱効率が高く、経済的な融雪装置を提供することを目的とする。【解決手段】地下水層１まで届く井戸２内には流体が流通する送りパイプ３と戻りパイプ４とから成る循環パイプ５が配設され、この循環パイプ５は、地表に設けられる融雪部９と連設され、この循環パイプ５内の流体により井戸２内の地下水から採熱し、該熱により前記融雪部９において融雪が行われるように構成され、更に前記井戸２内に適宜な流体を導出入することで該井戸２内の地下水を撹拌する撹拌部６が設けられているものである。【選択図】        図１
2005036470.tif 000002
【特許請求の範囲】
【請求項１】
地下水から採熱することにより融雪を行う融雪装置であって、地下水層まで届く井戸内には流体が流通する送りパイプと戻りパイプとから成る循環パイプが配設され、この循環パイプは、地表に設けられる融雪部と連設され、この循環パイプ内の流体により井戸内の地下水から採熱し、該熱により前記融雪部において融雪が行われるように構成され、更に前記井戸内に適宜な流体を導出入することで該井戸内の地下水を撹拌する撹拌部が設けられていることを特徴とする融雪装置。
【請求項２】
請求項１記載の融雪装置において、撹拌部は、井戸内に配設され、導入管と導出管とがポンプで連設され、該ポンプにより地下水を導入管から導出し、導入管より井戸内に戻すものであることを特徴とする融雪装置。
【請求項３】
請求項２記載の融雪装置において、導出管の下端は井戸の底から上方へ所定距離の位置に配設されていることを特徴する融雪装置。
【請求項４】
請求項１〜３いずれか１項に記載の融雪装置において、循環パイプの下部が井戸の底から上方へ所定距離の位置に配設されていることを特徴とする融雪装置。
【請求項５】
請求項１〜４いずれか１項に記載の融雪装置において、融雪部は、融雪用のマット体であることを特徴とする融雪装置。
【請求項６】
請求項１〜５いずれか１項に記載の融雪装置において、井戸は複数であり、複数の井戸から採熱することを特徴とする融雪装置。
【発明の詳細な説明】
【０００１】
【発明の属する技術分野】
本発明は、融雪装置に関するものである。
【０００２】
【従来の技術及び発明が解決しようとする課題】
従来、融雪装置は地下水を汲み上げて散水する散水方式が一般的であるが、この方式は地下水の枯渇による地盤沈下が懸念されるため、地下水の少ない地域に適したものではない。
【０００３】
そこで、熱交換井から地下水熱を採取して融雪に用いる熱交換井方式が提案されている。この方式は、熱交換井内に採熱流体を封入した管体を配設し、この採熱流体を循環させて熱交換を行い、この採熱により融雪を行うものである。従って、この方式は、地下水を消費することがなく、地下水の枯渇による地盤沈下が懸念される地域や地下水が少ない地域にも適用することができる。
【０００４】
しかし、この方式は、井戸内の地下水の流動が滞り、地下水温が徐々に低下していくため、熱交換井１本あたりの採熱量が小さく、融雪に必要な熱量を確保するためには井戸本数を多くする必要があり、経済的ではないという問題がある。
【０００５】
本発明は、上記のような問題点を解決したもので、地下水の無駄がなく、地下水熱の採熱効率が高く、経済的な融雪装置を提供するものである。
【０００６】
【課題を解決するための手段】
添付図面を参照して本発明の要旨を説明する。
【０００７】
地下水から採熱することにより融雪を行う融雪装置であって、地下水層１まで届く井戸２内には流体が流通する送りパイプ３と戻りパイプ４とから成る循環パイプ５が配設され、この循環パイプ５は、地表に設けられる融雪部９と連設され、この循環パイプ５内の流体により井戸２内の地下水から採熱し、該熱により前記融雪部９において融雪が行われるように構成され、更に前記井戸２内に適宜な流体を導出入することで該井戸２内の地下水を撹拌する撹拌部６が設けられていることを特徴とする融雪装置に係るものである。
【０００８】
また、請求項１記載の融雪装置において、撹拌部６は、井戸２内に配設され、導入管６ａと導出管６ｂとがポンプ７で連設され、該ポンプ７により地下水を導入管６ｂから導出し、導入管６ａより井戸２内に戻すものであることを特徴とする融雪装置に係るものである。
【０００９】
また、請求項２記載の融雪装置において、導出管６ｂの下端は井戸２の底から上方へ所定距離Ｓの位置に配設されていることを特徴する融雪装置に係るものである。
【００１０】
また、請求項１〜３いずれか１項に記載の融雪装置において、循環パイプ５の下部が井戸２の底から上方へ所定距離Ｔの位置に配設されていることを特徴とする融雪装置に係るものである。
【００１１】
また、請求項１〜４いずれか１項に記載の融雪装置において、融雪部９は、融雪用のマット体８であることを特徴とする融雪装置に係るものである。
【００１２】
また、請求項１〜５いずれか１項に記載の融雪装置において、井戸２は複数であり、複数の井戸２から採熱することを特徴とする融雪装置に係るものである。
【００１３】
【発明の作用及び効果】
地下水層１まで届く井戸２内には、流体が流通する送りパイプ３と戻りパイプ４とから成る循環パイプ５が配設され、この循環パイプ５は、地表に設けた融雪部９と連設されているから、前記循環パイプ５内の流体により井戸２内の地下水の採熱が行われ、該熱により前記融雪部９において融雪が行われる。
【００１４】
この際、前記井戸２には該井戸２内の地下水を撹拌する撹拌部６が設けられているから、地熱で暖められている下層の地下水を上層にも流動させることができ、よって、前記循環パイプ５内の流体により地下水の採熱が効率良く行われることになる。
【００１５】
従って、本発明によれば、循環パイプ５により地下水の熱のみを採取して融雪を行うから、地下水の無駄がなくなり、また、撹拌部６により地下水を撹拌するから、採熱効率が向上し、以上から経済的に極めて秀れた融雪装置となる。
【００１６】
【発明の実施の形態】
図は本発明の一実施例を図示したもので、以下に説明する。
【００１７】
井戸２は、地下数十〜数百メートルの地盤付近で地熱により暖められている地下水層１に届くように穿設する。
【００１８】
循環パイプ５は、送りパイプ３と戻りパイプ４と循環ポンプ１０とから成り、内部に採熱流体として水や不凍液若しくは空気等の流体を封入したもので、前記循環パイプ５の一部を井戸２内に配設し、内部の採熱流体により地下水の採熱を行う。
【００１９】
前記井戸２内に配設した前記循環パイプ５の下部は、地熱でよく暖められた水層に届くように、前記井戸２の底に可及的に近い位置、具体的には底から上方へ所定距離Ｔをおいた位置に配設され、地下水熱は効率良く採取される。
【００２０】
また、上記循環パイプ５は、地表に設けた融雪部９に連設されている。この融雪部９は、アスファルトやコンクリート、レンガ等の舗装体内に循環パイプ５を埋設したり、舗装体の下部に循環パイプ５を敷設したマット体８である。
【００２１】
上記井戸２には、撹拌部６が設けられている。
【００２２】
前記撹拌部６は、前記井戸２に配設され、導入管６ａと導出管６ｂとがポンプ７に連設され、該ポンプ７により井戸２内の地下水を導出管６ｂから導出し、導入管６ａにより井戸２内に戻すものであり、この地下水の導出・導入により井戸２内の地下水は強制的に撹拌される。
【００２３】
導出管６ｂの下端は、井戸２の底部であってより地盤に近い地熱でよく暖められた部位に届くように、底から所定距離Ｓをおいた位置に配設され、導入管６ａの下端は井戸２の上部であって比較的温度の低い位置に配設されている。従って、井戸２内の地下水の上層と下層とをより効果的に撹拌できることになる。
【００２４】
また、上述の井戸２を複数本設置させることにより、地下水からより多くの熱を採取できることになる。
【００２５】
本実施例は上記構成としたから以下の作用効果を奏する。
【００２６】
循環パイプ５の内部において採熱流体として水や不凍液若しくは空気等の流体が密閉循環されているので、地下水を散水したりすることがなく（地下水熱のみを採取）、よって、地下水の無駄がない上に、井戸２内を自然状態のままで利用するのと同じであり、井戸２内の洗浄などのメンテナンスの必要がほとんどない非常に便利な融雪装置となる。
【００２７】
また、撹拌部６により、井戸２内の地下水の撹拌を行うことができるため、地下水層１の下層の地熱で暖められている地下水を井戸２の上層にも流動させることができ、循環パイプ５内の採熱流体の採熱効率が向上する。更に、この撹拌部６は単に地下水層１内の地下水を循環させるだけであり、地下水を消費するものではない為、この点においても実用性に秀れたものとなる。
【００２８】
実験では、井戸２内を撹拌することによる循環パイプ５内の採熱流体の採熱効率は、撹拌を行わない場合と比較して１．４倍となることが確認された。
【００２９】
また、井戸２を複数設置することで、地下水熱の採取量を更に多くすることができ、より高い融雪効果を得られる。
【００３０】
以上、本実施例は、循環パイプ５の内部において採熱流体が密閉循環され地下水から熱のみを採取するため、地下水の無駄がなく、地下水の枯渇による地盤沈下等の心配がない。また、地下水の井戸２内を自然状態のままで利用できるので井戸２内の洗浄などのメンテナンスの必要もほとんど無い融雪装置となる。
【００３１】
また、撹拌部６は単に循環パイプ５により地下水層１内の地下水を循環させるだけであり、例えば、循環パイプ５の底部に撹拌羽根を取り付けたりする複雑な方法ではない為、それだけコスト安な融雪装置となる。
【図面の簡単な説明】
【図１】本発明の概念図である。
【符号の説明】
１  地下水層
２  井戸
３  送りパイプ
４  戻りパイプ
５  循環パイプ
６  撹拌部
６ａ  導入管
６ｂ  導出管
７  ポンプ
８  マット体
９  融雪部
Ｓ  所定距離
Ｔ  所定距離
【図１】
2005036470.tif 000003